(57)【要約】【課題】依頼者の利便性が高い農作業依頼システム等を提供する。【解決手段】管理サーバ３は、依頼者端末５から農作業の依頼を受け付けると、作業を実行すべき機器１１を特定し、特定した機器１１を制御する作業端末７に作業を行うように命令する。また、管理サーバ３は、作業端末７による作業の履歴を記録し、農作業を依頼した依頼者端末５に作業結果を通知する。依頼者端末５は、依頼者による農作業の依頼を管理サーバ３に送る。作業端末７は、管理サーバ３から命令された作業を機器１１に実行させる。また、作業端末７は、機器１１の作業の開始または終了時に、作業の開始または終了を示す作業履歴を管理サーバ３に送る。機器１１は、作業端末７の制御に基づいて依頼者から依頼された農作業を実行する。【選択図】図１
2010268760.tif 000002
【特許請求の範囲】
【請求項１】
農作業の依頼者の端末である依頼者端末と、依頼された農作業を実行する機器を制御する端末である作業端末とネットワークを介して接続される管理サーバであって、
栽培地を一意に識別する栽培地ＩＤと、作業内容を一意に識別する作業ＩＤとを含む作業依頼情報を、前記依頼者端末から受信する作業依頼情報受信手段と、
前記作業依頼情報に応じて作業を実行すべき機器を特定し、特定した機器に対する作業命令を一意に識別する作業命令ＩＤと、前記作業ＩＤと、前記栽培地ＩＤとを含む作業命令情報を、特定した機器を制御する作業端末に送信する作業命令情報送信手段と、
前記機器によって実行される作業の開始または終了時に、作業の開始または終了したことを示す時刻情報と、前記作業命令ＩＤとを含む作業履歴情報を、前記作業端末から受信する作業履歴受信手段と、
前記作業履歴情報を記録するデータベースである作業履歴データベースと、
を具備することを特徴とする管理サーバ。
【請求項２】
更に、前記栽培地ＩＤおよび前記作業ＩＤと、前記機器を識別する機器ＩＤとを紐付けるデータベースである機器管理データベースを具備し、
前記作業命令情報送信手段は、前記機器管理データベースを参照して作業を実行すべき機器を特定するものであることを特徴とする請求項１に記載の管理サーバ。
【請求項３】
前記作業履歴情報に基づいて作業結果情報を作成し、前記作業依頼情報を送信した依頼者端末に送信する作業結果送信手段、を更に具備することを特徴とする請求項１に記載の管理サーバ。
【請求項４】
前記作業依頼情報は、更に、作業を開始する条件を示す作業開始条件情報を含み、
受信した作業依頼情報を記録するデータベースである作業依頼情報データベース、を更に具備し、
前記作業命令情報送信手段は、前記作業依頼情報データベースを検索し、作業開始条件情報の条件を満たす場合には前記作業命令情報を送信することを特徴とする請求項１に記載の管理サーバ。
【請求項５】
前記栽培地ＩＤと、前記栽培地ＩＤに対して実行を制限する作業及び期間とを紐付けるデータベースである作業制限データベース、を更に具備し、
前記作業命令情報送信手段は、前記作業制限データベースを参照して前記作業依頼情報の作業を実行可能か否か判定し、実行可能である場合には、前記作業命令情報を、前記作業端末に送信することを特徴とする請求項１に記載の管理サーバ。
【請求項６】
前記作業ＩＤと、前記作業ＩＤに対する作業価格とを紐付けるデータベースである作業価格データベースと、
前記作業履歴情報を受信した場合には、前記作業価格と、依頼者を識別する依頼者ＩＤとを記録するデータベースである課金履歴データベースと、を更に具備することを特徴とする請求項１に記載の管理サーバ。
【請求項７】
農作物の生育状況に応じて現在実行すべき作業を提案する作業提案手段、を更に具備することを特徴とする請求項１に記載の管理サーバ。
【請求項８】
農作業の依頼者の端末である依頼者端末と、依頼された農作業を実行する機器を制御する端末である作業端末と、システム全体を管理する管理サーバとがネットワークを介して接続される農作業依頼システムであって、
前記依頼者端末は、栽培地を一意に識別する栽培地ＩＤと、作業内容を一意に識別する作業ＩＤとを含む作業依頼情報を、前記管理サーバに送信する作業依頼情報送信手段、を具備し、
前記管理サーバは、前記作業依頼情報に応じて作業を実行すべき機器を特定し、特定した機器に対する作業命令を一意に識別する作業命令ＩＤと、前記作業ＩＤと、前記栽培地ＩＤとを含む作業命令情報を、特定した機器を制御する作業端末に送信する作業命令情報送信手段、を具備し、
前記作業端末は、前記作業命令情報に応じて前記機器に農作業を実行させる農作業実行手段と、
作業の開始または終了時に、作業の開始または終了したことを示す時刻情報と、前記作業命令ＩＤとを含む作業履歴情報を、前記管理サーバに送信する作業履歴送信手段と、を具備し、
前記管理サーバは、前記作業履歴情報を記録するデータベースである作業履歴データベース、を更に具備することを特徴とする農作業依頼システム。
【請求項９】
栽培地の環境情報を取得するセンサを制御する環境監視端末が前記管理サーバとネットワークを介して接続され、
前記管理サーバは、更に、前記作業端末から前記作業履歴情報を受信すると、前記栽培地ＩＤに応じて環境情報を取得すべきセンサを特定し、特定したセンサを制御する環境監視端末に環境情報取得命令を送信する環境情報取得命令送信手段、を具備し、
前記環境監視端末は、前記環境情報取得命令に応じて前記センサに環境情報を取得させ、環境情報を前記管理サーバに送信する環境情報送信手段、を具備することを特徴とする請求項８に記載の農作業依頼システム。
【請求項１０】
前記管理サーバは、更に、定期的に前記環境監視端末に環境情報の取得を命令して農作物の生育状況を収集する生育状況収集手段と、
農作物の生育状況を記録するデータベースである生育状況データベースと、
前記作業履歴データベースと前記生育状況データベースとを閲覧可能とし、栽培地の格付けを支援する格付け支援手段と、を具備することを特徴とする請求項９に記載の農作業依頼システム。
【請求項１１】
農作業を代行する作業者の端末である作業者端末が前記管理サーバとネットワークを介して接続され、
前記作業命令情報送信手段は、前記作業依頼情報に応じて作業を代行すべき作業者を特定し、前記作業命令情報を、特定した作業者の作業者端末に送信することを特徴とする請求項８に記載の農作業依頼システム。
【請求項１２】
前記依頼者端末は、更に、依頼者自らが実行した作業の履歴を前記管理サーバに送信する作業履歴送信手段、を具備し、
前記作業者端末は、更に、作業者が実行した作業の履歴を前記管理サーバに送信する作業履歴送信手段、を具備し、
前記作業履歴データベースは、更に、依頼者及び作業者が実行した作業の履歴を記録するものであることを特徴とする請求項１１に記載の農作業依頼システム。
【請求項１３】
栽培地への入場を監視する入場監視端末が設けられ、
前記入場監視端末は、栽培地に入場する人物が正当な入場権限を有するか否かを判定する入場権限判定手段、を具備することを特徴とする請求項８に記載の農作業依頼システム。
【請求項１４】
農作業の依頼者の端末である依頼者端末と、依頼された農作業を実行する機器を制御する端末である作業端末と、システム全体を管理する管理サーバとがネットワークを介して接続されるシステムにおける農作業依頼方法であって、
前記依頼者端末が、栽培地を一意に識別する栽培地ＩＤと、作業内容を一意に識別する作業ＩＤとを含む作業依頼情報を、前記管理サーバに送信する作業依頼情報送信ステップと、
前記管理サーバが、前記作業依頼情報に応じて作業を実行すべき機器を特定し、特定した機器に対する作業命令を一意に識別する作業命令ＩＤと、前記作業ＩＤと、前記栽培地ＩＤとを含む作業命令情報を、特定した機器を制御する作業端末に送信する作業命令情報送信ステップと、
前記作業端末が、前記作業命令情報に応じて前記機器に農作業を実行させる農作業実行ステップと、
前記作業端末が、作業の開始または終了時に、作業の開始または終了したことを示す時刻情報と、前記作業命令ＩＤとを含む作業履歴情報を、前記管理サーバに送信する作業履歴送信ステップと、
前記管理サーバが、前記作業履歴情報を記録する作業履歴記録ステップと、
を含むことを特徴とする農作業依頼方法。
【請求項１５】
コンピュータを請求項１から請求項７のいずれかに記載の管理サーバとして機能させるプログラム。
【請求項１６】
コンピュータを請求項１から請求項７のいずれかに記載の管理サーバとして機能させるプログラムを記録したコンピュータ読み取り可能な記録媒体。
【発明の詳細な説明】
【技術分野】
【０００１】
本発明は、貸し菜園などにおいて、借主が遠隔地から農作業の依頼を行い、依頼された農作業の実行及びその管理を行う農作業依頼システム等に関するものである。
【背景技術】
【０００２】
近年、食の安全が叫ばれる中、自ら農作物を栽培できる貸し菜園が人気を集めている。このような貸し菜園では、借主が遠隔地から農作業を依頼し、依頼された農作業を有料で代行するサービスを行うところもある。このような代行サービスを支援するシステムとしては、特許文献１がある。
【０００３】
特許文献１では、農作物が栽培される栽培地を撮影するカメラを設置し、遠隔地に住む農作物栽培希望者がカメラで撮影された画像データを端末装置で確認できるとともに、端末装置から農作業の依頼を行うことができる遠隔地農業支援システムが開示されている。特許文献１に記載のシステムでは、遠隔地にある自宅にて農作物の生育状況を観察しながら、必要に応じて農家の人に農作業を依頼する、または水供給機構を作動させて自動的に水やりを行うことができる。
【先行技術文献】
【特許文献】
【０００４】
【特許文献１】特開２００２−１７６８５５号公報
【発明の概要】
【発明が解決しようとする課題】
【０００５】
しかしながら、特許文献１に記載のシステムでは、作物生育状況、気象条件、土壌状態等に照らして、依頼された作業を実行して良いかどうかの判定をすることができない。また、作業を依頼した後、カメラにて撮影された画像データを確認するしかないので、依頼者が、作業完了の確認、作業完了後の詳細な環境変化の確認をすることができない。また、作業の履歴を管理する仕組みがなく、収穫までにどのような作業を行ったかを確認することができない。また、依頼者がどのような作業を依頼すれば良いか分からない場合、作物生育状況、気象条件、土壌状態等に照らして、作業内容や実行時期を自動的に設定するような依頼者に対する支援を行うことができない。
【０００６】
本発明は、前述した問題点に鑑みてなされたもので、その目的とすることは、依頼者の利便性が高い農作業依頼システム等を提供することである。
【課題を解決するための手段】
【０００７】
前述した目的を達成するために第１の発明は、農作業の依頼者の端末である依頼者端末と、依頼された農作業を実行する機器を制御する端末である作業端末とネットワークを介して接続される管理サーバであって、栽培地を一意に識別する栽培地ＩＤと、作業内容を一意に識別する作業ＩＤとを含む作業依頼情報を、前記依頼者端末から受信する作業依頼情報受信手段と、前記作業依頼情報に応じて作業を実行すべき機器を特定し、特定した機器に対する作業命令を一意に識別する作業命令ＩＤと、前記作業ＩＤと、前記栽培地ＩＤとを含む作業命令情報を、特定した機器を制御する作業端末に送信する作業命令情報送信手段と、前記機器によって実行される作業の開始または終了時に、作業の開始または終了したことを示す時刻情報と、前記作業命令ＩＤとを含む作業履歴情報を、前記作業端末から受信する作業履歴受信手段と、前記作業履歴情報を記録するデータベースである作業履歴データベースと、を具備することを特徴とする管理サーバである。
【０００８】
第２の発明は、農作業の依頼者の端末である依頼者端末と、依頼された農作業を実行する機器を制御する端末である作業端末と、システム全体を管理する管理サーバとがネットワークを介して接続される農作業依頼システムであって、前記依頼者端末は、栽培地を一意に識別する栽培地ＩＤと、作業内容を一意に識別する作業ＩＤとを含む作業依頼情報を、前記管理サーバに送信する作業依頼情報送信手段、を具備し、前記管理サーバは、前記作業依頼情報に応じて作業を実行すべき機器を特定し、特定した機器に対する作業命令を一意に識別する作業命令ＩＤと、前記作業ＩＤと、前記栽培地ＩＤとを含む作業命令情報を、特定した機器を制御する作業端末に送信する作業命令情報送信手段、を具備し、前記作業端末は、前記作業命令情報に応じて前記機器に農作業を実行させる農作業実行手段と、作業の開始または終了時に、作業の開始または終了したことを示す時刻情報と、前記作業命令ＩＤとを含む作業履歴情報を、前記管理サーバに送信する作業履歴送信手段と、を具備し、前記管理サーバは、前記作業履歴情報を記録するデータベースである作業履歴データベース、を更に具備することを特徴とする農作業依頼システムである。
【０００９】
第３の発明は、農作業の依頼者の端末である依頼者端末と、依頼された農作業を実行する機器を制御する端末である作業端末と、システム全体を管理する管理サーバとがネットワークを介して接続されるシステムにおける農作業依頼方法であって、前記依頼者端末が、栽培地を一意に識別する栽培地ＩＤと、作業内容を一意に識別する作業ＩＤとを含む作業依頼情報を、前記管理サーバに送信する作業依頼情報送信ステップと、前記管理サーバが、前記作業依頼情報に応じて作業を実行すべき機器を特定し、特定した機器に対する作業命令を一意に識別する作業命令ＩＤと、前記作業ＩＤと、前記栽培地ＩＤとを含む作業命令情報を、特定した機器を制御する作業端末に送信する作業命令情報送信ステップと、前記作業端末が、前記作業命令情報に応じて前記機器に農作業を実行させる農作業実行ステップと、前記作業端末が、作業の開始または終了時に、作業の開始または終了したことを示す時刻情報と、前記作業命令ＩＤとを含む作業履歴情報を、前記管理サーバに送信する作業履歴送信ステップと、前記管理サーバが、前記作業履歴情報を記録する作業履歴記録ステップと、を含むことを特徴とする農作業依頼方法である。
【００１０】
第４の発明は、コンピュータを第１の発明に記載の管理サーバとして機能させるプログラムである。
第５の発明は、コンピュータを第１の発明に記載の管理サーバとして機能させるプログラムを記録したコンピュータ読み取り可能な記録媒体である。
【発明の効果】
【００１１】
本発明により、依頼者の利便性が高い農作業依頼システム等を提供することができる。
【図面の簡単な説明】
【００１２】
【図１】第１の実施の形態に係るシステム概要図
【図２】管理サーバ３のハードウエア構成図
【図３】依頼者端末５のハードウエア構成図
【図４】作業端末７のハードウエア構成図
【図５】作業依頼情報５０の一例を示す図
【図６】機器管理情報６０の一例を示す図
【図７】作業命令情報７０の一例を示す図
【図８】作業履歴情報８０の一例を示す図
【図９】第１の実施の形態に係る農作業依頼処理の詳細を示すフローチャート
【図１０】第２の実施の形態に係るシステム概要図
【図１１】作業依頼情報５０ａの一例を示す図
【図１２】土地管理情報９０の一例を示す図
【図１３】生育状況情報１００の一例を示す図
【図１４】作業制限情報１１０の一例を示す図
【図１５】機器管理情報６０ａの一例を示す図
【図１６】作業履歴情報８０ａの一例を示す図
【図１７】作業価格情報１２０の一例を示す図
【図１８】課金履歴情報１３０の一例を示す図
【図１９】作業依頼処理の流れを示すフローチャート
【図２０】環境情報収集処理の流れを示すフローチャート
【図２１】作業実行処理の流れを示すフローチャート
【図２２】依頼者による作業履歴情報登録処理の流れを示すフローチャート
【図２３】作業提案処理の流れを示すフローチャート
【発明を実施するための形態】
【００１３】
以下図面に基づいて、本発明の実施形態を詳細に説明する。
【００１４】
＜第１の実施の形態＞
図１は、第１の実施の形態に係るシステム概要図である。図１に示すように、農作業依頼システム１は、管理サーバ３、依頼者端末５、作業端末７、機器１１から構成されている。管理サーバ３、依頼者端末５、作業端末７は、ネットワーク９を介して接続されている。農作業依頼システム１は、例えば貸し菜園などの借主が農作業を依頼するためのシステムである。貸し菜園は、農作物を栽培する栽培地を一定の区画ごとに区分けして、複数の借主に貸し出される。借主は、自らが農作業を行えないときには、農作業依頼システム１を利用して農作業を依頼する。
【００１５】
管理サーバ３は、農作業依頼システム１全体を管理するサーバである。管理サーバ３は、依頼者端末５から農作業の依頼を受け付けると、作業を実行すべき機器１１を特定し、特定した機器１１を制御する作業端末７に作業を行うように命令する。また、管理サーバ３は、作業端末７による作業の履歴を記録し、農作業を依頼した依頼者端末５に作業結果を通知する。
【００１６】
依頼者端末５は、農作業の依頼者が所持している端末である。依頼者端末５は、依頼者による農作業の依頼を管理サーバ３に送る。依頼者端末５は、依頼者が常に携帯している携帯電話などが好適であるが、ネットワーク９を介して管理サーバ３と接続できる端末であれば良く、モバイル型コンピュータ、デスクトップ型コンピュータ等でも良い。
【００１７】
作業端末７は、依頼者から依頼された農作業を実行する機器１１を制御する端末である。作業端末７は、管理サーバ３から命令された作業を機器１１に実行させる。また、作業端末７は、機器１１の作業の開始または終了時に、作業の開始または終了を示す作業履歴を管理サーバ３に送る。作業端末７は、複数の機器１１を制御するものであっても良い。あるいは、作業端末７は、機器１１に内蔵されていて、機器１１と１対１に対応するものであっても良い。以下では、説明を簡単にするため、機器１１と作業端末７は１対１に対応するものとして説明する。
【００１８】
機器１１は、作業端末７の制御に基づいて依頼者から依頼された農作業を実行する。「給水」を行う機器１１は、特定の栽培地に給水を行う給水装置を備える。給水装置は、スプリンクラーのような散水装置でもよい。また、「施肥」を行う機器１１は、特定の栽培地に肥料を自動で散布する肥料散布装置である。
【００１９】
ネットワーク９は、例えばインターネットである。依頼者端末５が携帯電話であれば、携帯通信網の基地局を介してネットワーク９に接続する。管理サーバ３および作業端末７は、光ファイバー、イーサネット（登録商標）、無線ＬＡＮ、携帯通信網等を介してネットワーク９に接続する。
【００２０】
図２は、管理サーバ３のハードウエア構成図である。図２のハードウエア構成は一例であり、用途、目的に応じて様々な構成を採ることが可能である。
【００２１】
管理サーバ３は、制御部２１、記憶部２２、メディア入出力部２３、通信制御部２４、入力部２５、表示部２６、周辺機器Ｉ／Ｆ部２７等が、バス２８を介して接続される。
【００２２】
制御部２１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部２２、ＲＯＭ、記録媒体等に格納されるプログラムをＲＡＭ上のワークメモリ領域に呼び出して実行し、バス２８を介して接続された各装置を駆動制御し、管理サーバ３が行う後述する処理を実現する。
ＲＯＭは、不揮発性メモリであり、管理サーバ３のブートプログラムやＢＩＯＳ等のプログラム、データ等を恒久的に保持している。
ＲＡＭは、揮発性メモリであり、記憶部２２、ＲＯＭ、記録媒体等からロードしたプログラム、データ等を一時的に保持するとともに、制御部２１が各種処理を行う為に使用するワークエリアを備える。
【００２３】
記憶部２２は、ＨＤＤ（ハードディスクドライブ）であり、制御部２１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理を管理サーバ３に実行させるためのアプリケーションプログラムが格納されている。
これらの各プログラムコードは、制御部２１により必要に応じて読み出されてＲＡＭに移され、ＣＰＵに読み出されて各種の手段として実行される。
【００２４】
メディア入出力部２３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
通信制御部２４は、通信制御装置、通信ポート等を有し、管理サーバ３とネットワーク９間の通信を媒介する通信インタフェースであり、ネットワーク９を介して、他のコンピュータ間との通信制御を行う。
【００２５】
入力部２５は、データの入力を行い、例えば、キーボード、マウス等のポインティングデバイス、テンキー等の入力装置を有する。入力部２５を介して、コンピュータに対して、操作指示、動作指示、データ入力等を行うことができる。
表示部２６は、ＣＲＴモニタ、液晶パネル等のディスプレイ装置、ディスプレイ装置と連携して管理サーバ３のビデオ機能を実現するための論理回路等（ビデオアダプタ等）を有する。
周辺機器Ｉ／Ｆ（インタフェース）部２７は、管理サーバ３に周辺機器を接続させるためのポートであり、周辺機器Ｉ／Ｆ部２７を介して管理サーバ３は周辺機器とのデータの送受信を行う。周辺機器Ｉ／Ｆ部２７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
バス２８は、各装置間の制御信号、データ信号等の授受を媒介する経路である。
【００２６】
図３は、依頼者端末５のハードウエア構成図である。図３のハードウエア構成は一例であり、用途、目的に応じて様々な構成を採ることが可能である。
【００２７】
依頼者端末５は、制御部３１、記憶部３２、入力部３３、表示部３４、通信制御部３５等が、バス３６を介して接続される。
【００２８】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部３２、ＲＯＭ等に格納されるプログラムをＲＡＭ上のワークメモリ領域に呼び出して実行し、バス３９を介して接続された各装置を駆動制御し、依頼者端末５が行う後述する処理を実現する。
ＲＯＭは、不揮発性メモリであり、プログラム、データ等を恒久的に保持している。
ＲＡＭは、揮発性メモリであり、記憶部３２、ＲＯＭ等からロードしたプログラム、データ等を一時的に保持するとともに、制御部３１が各種処理を行う為に使用するワークエリアを備える。
【００２９】
記憶部３２は、フラッシュメモリ等であり、制御部３１が実行するプログラム、プログラム実行に必要なデータ等が格納される。プログラムに関しては、後述する処理を依頼者端末５に実行させるためのアプリケーションプログラム等が格納されている。
これらの各プログラムコードは、制御部３１により必要に応じて読み出されてＲＡＭに移され、ＣＰＵに読み出されて各種の手段として実行される。
【００３０】
入力部３３は、入力ボタンやタッチパネル等の入力装置を有し、データの入力を行う。依頼者は、入力部３３を介して、依頼者端末５に対して、操作指示、動作指示、データ入力等を行うことができる。
表示部３４は、液晶ディスプレイ等のディスプレイ装置を有し、データの表示を行う。依頼者は、表示部３４によって各種の情報を確認する。
通信制御部３５は、アンテナを有し、ネットワーク９と通信を行う。
バス３６は、各装置間の制御信号、データ信号等の授受を媒介する経路である。
【００３１】
図４は、作業端末７のハードウエア構成図である。図４のハードウエア構成は一例であり、用途、目的に応じて様々な構成を採ることが可能である。
【００３２】
作業端末７は、制御部４１、記憶部４２、通信制御部４３、機器制御部４４等が、バス４５を介して接続される。
【００３３】
制御部４１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部４２、ＲＯＭ等に格納されるプログラムをＲＡＭ上のワークメモリ領域に呼び出して実行し、バス４５を介して接続された各装置を駆動制御し、作業端末７が行う後述する処理を実現する。
ＲＯＭは、不揮発性メモリであり、プログラム、データ等を恒久的に保持している。
ＲＡＭは、揮発性メモリであり、記憶部４２、ＲＯＭ等からロードしたプログラム、データ等を一時的に保持するとともに、制御部４１が各種処理を行う為に使用するワークエリアを備える。
【００３４】
記憶部４２は、フラッシュメモリ等であり、制御部４１が実行するプログラム、プログラム実行に必要なデータ等が格納される。プログラムに関しては、後述する処理を作業端末７に実行させるためのアプリケーションプログラム等が格納されている。
これらの各プログラムコードは、制御部４１により必要に応じて読み出されてＲＡＭに移され、ＣＰＵに読み出されて各種の手段として実行される。
【００３５】
通信制御部４３は、アンテナを有し、ネットワーク９と通信を行う。
機器制御部４４は、機器１１と信号の送受信を行い、機器１１を制御する。
バス４５は、各装置間の制御信号、データ信号等の授受を媒介する経路である。
【００３６】
次に、図５から図８を参照しながら、農作業依頼システム１で用いられるデータについて説明する。
図５は、作業依頼情報５０の一例を示す図である。作業依頼情報５０は、依頼者端末５から管理サーバ３に送信されるデータであり、依頼者による農作業の依頼を示すものである。図５に示すように、作業依頼情報５０は、少なくとも栽培地ＩＤ５１、作業ＩＤ５２を含む。栽培地ＩＤ５１は、栽培地を一意に識別する情報である。貸し菜園では、例えば、栽培地が土地０１、土地０２、土地０３のように区分けされており、栽培地ＩＤ５１はそれぞれの土地と一対一で対応する。作業ＩＤ５２は、作業内容を一意に識別する情報である。作業内容は、例えば、「給水」、「施肥」等であり、作業ＩＤ５２は作業内容と一対一で対応する。
図５に示す例では、「土地０１」の栽培地に対して、「作業０１（給水）」と「作業０２（施肥）」が依頼されている。
【００３７】
図６は、機器管理情報６０の一例を示す図である。機器管理情報６０は、管理サーバ３に予め登録されるデータベースであり、依頼者による農作業の依頼に応じて作業を実行すべき機器を特定するためのものである。図６に示すように、機器管理情報６０は、少なくとも栽培地ＩＤ６１、作業ＩＤ６２、機器ＩＤ６３を含む。栽培地ＩＤ６１は、栽培地ＩＤ５１と同じ意味の情報である。作業ＩＤ６２は、作業ＩＤ５２と同じ意味の情報である。機器ＩＤ６３は、機器１１を一意に識別する情報である。機器１１は、例えば、給水装置、肥料散布装置等である。機器１１は、それぞれ栽培地の担当範囲が決められており、同じ給水装置であっても異なる機器ＩＤ６３が付番される。
尚、管理サーバ３は、更に、栽培地と依頼者を紐付けるデータベースを有していても良い。
図６に示す例では、「機器０１」が「土地０１」と「土地０２」に対して「作業０１（給水）」を行い、「機器０２」が「土地０３」に対して「作業０１（給水）」を行うことを示している。
管理サーバ３は、入力された機器管理情報６０を機器管理データベースとして記憶部２２に記録する。
【００３８】
図７は、作業命令情報７０の一例を示す図である。作業命令情報７０は、管理サーバ３から作業端末７に送信されるデータであり、作業命令を示すものである。図７に示すように、作業命令情報７０は、少なくとも作業命令ＩＤ７１、栽培地ＩＤ７２、作業ＩＤ７３を含む。作業命令ＩＤ７１は、作業命令を一意に識別する情報である。作業命令情報７０は、依頼者が農作業を依頼するごとに生成され、栽培地と作業内容が同じデータであっても異なる作業命令ＩＤ７１が付番される。栽培地ＩＤ７２は、栽培地ＩＤ５１と同じ意味の情報である。作業ＩＤ７３は、作業ＩＤ５２と同じ意味の情報である。
図７に示す例では、「土地０１」に対して「作業０１（給水）」と「作業０２（施肥）」が命令されている。
【００３９】
図８は、作業履歴情報８０の一例を示す図である。作業履歴情報８０は、作業端末７から管理サーバ３に送信されるデータであり、作業履歴を示すものである。図８に示すように、作業履歴情報８０は、少なくとも作業命令ＩＤ８１、作業終了時刻８２を含む。作業命令ＩＤ８１は、作業命令ＩＤ７１と同じ意味の情報である。作業終了時刻８２は、機器１１が作業を終了した時刻を示す情報である。尚、作業終了時刻８２に代えて、機器１１が作業を開始した時刻を示す情報としても良い。作業終了時刻８２に相当する情報は、作業履歴情報８０を作成するタイミングに合わせて適宜変更できる。
図８に示す例では、「命令０１」が「０９：３０」に終了し、「命令０２」が「０９：４０」に終了している。
管理サーバ３は、作業端末７から受信した作業履歴情報８０を作業履歴情報データベースとして記憶部２２に記録する。
【００４０】
次に、図９を参照しながら、農作業依頼システム１の動作の詳細を説明する。図９は、第１の実施の形態に係る農作業依頼処理の詳細を示すフローチャートである。
【００４１】
依頼者は、依頼者端末５の入力部３３を介して、農作業の依頼をする栽培地、作業内容を指定する。
依頼者端末５の制御部３１は、依頼者から栽培地、作業内容が指定されると、対応する栽培地ＩＤ５１、作業ＩＤ５２を含む作業依頼情報５０として入力し（Ｓ１０１）、作業依頼情報５０を管理サーバ３に送信する（Ｓ１０２）。
【００４２】
管理サーバ３の制御部２１は、作業依頼情報５０を受信すると、作業依頼情報５０に応じて作業をすべき機器１１を特定する（Ｓ１０３）。管理サーバ３の制御部２１は、受信した作業依頼情報５０に含まれる栽培地ＩＤ５１、作業ＩＤ５２を検索キーとして機器管理情報６０のデータベースを検索する。作業をすべき機器１１は、検索されたデータの機器ＩＤ６３によって特定される。
管理サーバ３の制御部２１は、機器１１を特定すると、作業命令情報７０を生成し、作業端末７に送信する（Ｓ１０４）。管理サーバ３の制御部２１は、作業命令ＩＤ７１を採番し、受信した作業依頼情報５０に含まれる栽培地ＩＤ５１を栽培地ＩＤ７２、作業ＩＤ５２を作業ＩＤ７３として、作業命令情報７０を生成する。作業命令情報７０の送信先は、Ｓ１０３にて特定した機器１１に対応する作業端末７である。
【００４３】
作業端末７の制御部４１は、作業命令情報７０を受信すると、作業命令情報７０に含まれる栽培地ＩＤ７２、作業ＩＤ７３に基づいて、作業をすべき機器１１を制御して作業を実行する（Ｓ１０５）。
次に、作業端末７の制御部４１は、作業の終了時に、実行した作業命令に対応する作業命令ＩＤ８１、作業が終了したことを示す作業終了時刻８２を含む作業履歴情報８０を管理サーバ３に送信する（Ｓ１０６）。尚、作業履歴情報８０は、作業が開始したことを示す作業開始時刻を含めて、作業の開始時に送信しても良いし、作業の開始および終了時に送信しても良い。
【００４４】
管理サーバ３の制御部２１は、作業履歴情報８０を受信すると、作業履歴情報８０を記憶部２２に記録する（Ｓ１０７）。
次に、管理サーバ３の制御部２１は、作業履歴情報８０に基づいて作業結果情報を作成し、Ｓ１０２にて作業依頼情報５０を送信した依頼者端末５に作業結果情報を送信する（Ｓ１０８）。作業結果情報は、作業履歴情報８０と同等の情報であり、作業を行った栽培地、作業内容、作業の開始時間または終了時間などを含む情報である。
依頼者端末５の制御部３１は、作業結果情報を受信すると、表示部３４に作業結果情報を表示する（Ｓ１０９）。
【００４５】
このように、第１の実施の形態における管理サーバ３は、作業端末７から受信する作業履歴情報８０を記録するので、作業の履歴を管理でき、収穫までにどのような作業を行ったかを後日確認することができる。また、管理サーバ３は、作業結果情報を依頼者端末５に送信するので、依頼者が作業の開始または終了等をリアルタイムに確認することができる。
【００４６】
＜第２の実施の形態＞
次に、第２の実施の形態について説明する。第１の実施の形態と同じ要素については同じ番号を付して同様の説明を省略する。
図１０は、第２の実施の形態に係るシステム概要図である。図１０に示すように、農作業依頼システム１ａは、管理サーバ３、依頼者端末５、作業端末７、機器１１、作業者端末１３、環境監視端末１５、センサ１７から構成されている。管理サーバ３、依頼者端末５、作業端末７、作業者端末１３、環境監視端末１５は、ネットワーク９を介して接続されている。
【００４７】
作業者端末１３は、農作業を代行する作業者の端末である。作業者端末１３は、依頼者からの依頼を管理サーバ３を介して受け取る。また、作業者端末１３は、作業の開始または終了時に、作業の開始または終了を示す作業履歴を管理サーバ３に送る。以下では、作業者端末１３は、作業者と１対１に対応するものとして説明するが、複数の作業者が同じ作業者端末１３を利用するように運用しても良い。
尚、作業者端末１３のハードウエア構成は、図３に示す依頼者端末５のハードウエア構成と同様である。
【００４８】
環境監視端末１５は、農作物の生育状況、栽培地の土壌状況、気象状況などの環境情報を取得する各種のセンサ１７を制御する端末である。環境監視端末１５は、管理サーバ３から受け取る環境情報取得命令に基づいてセンサ１７を制御し、環境情報を取得して管理サーバ３に送る。環境監視端末１５は、複数のセンサ１７を制御するものであっても良いし、センサ１７と１対１に対応するものであっても良い。
尚、環境監視端末１５のハードウエア構成は、図４に示す作業端末７のハードウエア構成と同様である。
【００４９】
センサ１７は、環境監視端末１５の制御に基づいて環境情報を取得する。センサ１７は、例えば、農作物を撮像するカメラ、サーモグラフィ、特定のイオン（例えば、カルシウムイオン、硝酸イオン）を検出するイオン検出器、ＥＣ値計、ｐｆ値を計測するｐｆ値計、照度計、光量子計、温度計、湿度計、風量計、ＣＯ２濃度計などである。センサ１７は、農作物の種類、栽培地の環境に応じて適宜必要なものを設置する。
【００５０】
次に、図１１から図１８を参照しながら、農作業依頼システム１ａで用いられるデータについて説明する。
図１１は、作業依頼情報５０ａの一例を示す図である。作業依頼情報５０ａは、依頼者端末５から管理サーバ３に送信されるデータであり、依頼者による農作業の依頼を示すものである。図１１に示すように、作業依頼情報５０ａは、栽培地ＩＤ５１、作業ＩＤ５２、依頼者ＩＤ５３、作業開始条件５４を含む。依頼者ＩＤ５３は、依頼者を一意に識別する情報である。第２の実施の形態では、複数の依頼者が一つの栽培地を共有しても良い。依頼者ＩＤ５３は、依頼者ごとに付与しても良いし、栽培地を共有する複数の依頼者に共通のＩＤを付与しても良い。作業開始条件５４は、依頼した作業を開始する条件であり、管理サーバ３によって対象の農作物、栽培地が条件に適合したかどうかを判定するためのものである。作業開始条件５４は、例えば、生育状況、土壌状況、気象状況などである。生育状況を作業開始条件５４とする場合、予めレベル０からレベル１０というように農作物の生育状態をレベル分けして、センサ１７を用いて生育状況を監視しておく。そして、管理サーバ３は定期的に農作物の生育状況が作業開始条件５４に適合するかどうかを判定する。そのため、管理サーバ３は、依頼者端末５から作業依頼情報５０ａを受信すると、作業依頼情報５０ａを作業依頼情報データベースとして記憶部２２に保存する。
図１１に示す例では、生育状況を作業開始条件５４としており、「土地０１」に対する「作業０２」は、生育状況が「レベル３」になったときに開始することを示している。また、「土地０３」に対する「作業０２」は、生育状況が「レベル５」になったときに開始することを示している。
また、作業開始条件５４は、環境情報（ＥＣ値、特定イオン濃度、ｐｆ値、照度、光量子、温度、湿度、葉や成長点の表面温度等）が一定値以上または一定値以下になったかどうかとしても良い。
【００５１】
図１２は、土地管理情報９０の一例を示す図である。土地管理情報９０は、栽培地と借主とを紐付けるデータベースである。図１２に示すように、土地管理情報９０は、依頼者ＩＤ９１、栽培地ＩＤ９２を含む。依頼者ＩＤ９１は、作業依頼情報５０ａの依頼者ＩＤ５３と同じ意味の情報である。栽培地ＩＤ９２は、作業依頼情報５０ａの栽培地ＩＤ５１と同じ意味の情報である。管理サーバ３は、土地管理情報９０を参照し、作業の依頼者が正当な権限を有する者、すなわち借主であるかどうかを判定する。
図１２に示す例では、「土地０１」は、「ユーザ０１」、「ユーザ０２」、「ユーザ０３」が共有していることを示している。また、「ユーザ０１」は、「土地０１」の他に「土地０２」も所有していることを示している。
【００５２】
図１３は、生育状況情報１００の一例を示す図である。生育状況情報１００は、農作物の生育状況を記録するデータベースである。図１３に示すように、生育状況情報１００は、栽培地ＩＤ１０１、生育状況１０２、健康状態１０３を含む。栽培地ＩＤ１０１は、作業依頼情報５０ａの栽培地ＩＤ５１と同じ意味の情報である。生育状況１０２は、定期的に収集される環境情報から判別される農作物の生育状況である。健康状態１０３は、定期的に収集される環境情報から判別される農作物の健康状態である。管理サーバ３は、定期的に環境監視端末１５に命令を送り、環境情報を収集して、農作物の生育状況を記録する。
図１３に示す例では、「土地０１」の農作物は生育状況が「レベル３」に達しており、健康状態は「良好」であることを示している。また、「土地０３」の農作物は生育状況が「レベル４」に達しており、健康状態は「病気」であることを示している。
尚、生育状況情報１００には、必要に応じて、ＥＣ値、ｐｆ値、温度、湿度などの環境情報を記録するようにしても良い。
また、生育状況情報１００は、日時情報も含めて生育状況の履歴として記録するようにしても良い。
管理サーバ３は、生成した生育状況情報１００を生育状況データベースとして記憶部２２に記録する。
【００５３】
図１４は、作業制限情報１１０の一例を示す図である。作業制限情報１１０は、区画、時期ごとに実行が制限される作業を記録するデータベースである。図１４に示すように、作業制限情報１１０は、栽培地ＩＤ１１１、制限作業１１２、制限期間１１３を含む。栽培地ＩＤ１１１は、作業依頼情報５０ａの栽培地ＩＤ５１と同じ意味の情報である。制限作業１１２は、実行が制限される作業を示すものである。制限期間１１３は、実行が制限される期間を示すものである。管理サーバ３は、農作物の種類、契約内容に応じて制限すべき作業を登録する。また、管理サーバ３は、周辺の栽培地で栽培される農作物の種類、契約内容に応じて制限すべき作業を登録する。
図１４に示す例では、「土地０１」は「６月３０日」まで「作業０３（農薬散布）」の実行が制限されていることを示している。また、「土地０３」は「８月３１日」まで「作業０３（農薬散布）」の実行が制限されていることを示している。
管理サーバ３は、入力された作業制限情報１１０を作業制限データベースとして記憶部２２に記録する。
【００５４】
図１５は、機器管理情報６０ａの一例を示す図である。機器管理情報６０ａは、管理サーバ３に予め登録されるデータベースであり、依頼者による農作業の依頼に応じて作業を実行すべき機器１１、または作業者を特定するためのものである。図１５に示すように、機器管理情報６０ａは、栽培地ＩＤ６１、作業ＩＤ６２、機器ＩＤ６３、作業者ＩＤ６４を含む。作業者ＩＤ６４は、農作業を代行する作業者を一意に識別する情報である。
図１５に示す例では、「土地０１」と「土地０２」に対する「作業０１（給水）」は「機器０１」が実行することを示している。また、「土地０１」に対する「作業０４（草刈り）」は「作業者０１」が実行することを示している。
尚、機器管理情報６０ａに作業者ＩＤ６４を含めず、機器１１が実行できない作業については機器ＩＤ６３に値を登録しないようにして、機器ＩＤ６３に値がない作業は作業者が実行すると判定するようにしても良い。
【００５５】
図１６は、作業履歴情報８０ａの一例を示す図である。作業履歴情報８０ａは、作業端末７、依頼者端末５、作業者端末１３から管理サーバ３に送信されるデータであり、作業履歴を示すものである。図１６に示すように、作業履歴情報８０ａは、作業命令ＩＤ８１、作業終了時刻８２、作業実行者８３を含む。作業実行者８３は、作業を実行した機器１１、作業者、ユーザを示す情報である。栽培地の借主であるユーザは、自らが作業を行った場合には、依頼者端末５から作業履歴を入力し、管理サーバ３に送信する。また、農作業を代行する作業者は、作業を代行した場合には、作業者端末１３から作業履歴を入力し、管理サーバ３に送信する。管理サーバ３は、作業端末７、依頼者端末５、作業者端末１３から受信する作業履歴を同一のフォーマットで記憶部２２に保存し、一元管理する。管理サーバ３が作業端末７、依頼者端末５、作業者端末１３の三者から作業履歴情報８０ａを受信することで、収穫までに行った作業の全てを一元管理することができる。
図１６に示す例では、「命令０１」の作業は「機器０１」に実行され、「命令０２」の作業は「作業者０１」に実行され、「命令０３」の作業は「ユーザ０１」に実行されたことを示している。
尚、作業履歴情報８０ａは、栽培地ＩＤ、作業ＩＤ等を含んでも良い。
【００５６】
図１７は、作業価格情報１２０の一例を示す図である。作業価格情報１２０は、機器１１が実行する作業、または作業者が代行する作業の対価が予め登録されるデータベースである。作業価格情報１２０は、作業ＩＤ１２１、ユーザ種別１２２、価格１２３を含む。作業ＩＤ１２１は、作業依頼情報５０ａの作業ＩＤ５２と同じ意味の情報である。ユーザ種別１２２は、栽培地の借主であるユーザの種別を示す情報である。価格１２３は、作業の対価を示す情報である。
図１７に示す例では、例えば、ユーザ種別１２２が「スタンダード」であるユーザに対する「作業０１」の価格が「ＸＸＸ」であることを示している。
管理サーバ３は、入力された作業価格情報１２０を作業価格データベースとして記憶部２２に記録する。
【００５７】
図１８は、課金履歴情報１３０の一例を示す図である。課金履歴情報１３０は、依頼された作業に対する課金履歴を示すものである。図１８に示すように、課金履歴情報１３０は、依頼者ＩＤ１３１、作業ＩＤ１３２、料金１３３を含む。依頼者ＩＤ１３１は、作業依頼情報５０ａの依頼者ＩＤ５３と同じ意味の情報である。作業ＩＤ１３２は、作業依頼情報５０ａの作業ＩＤ５２と同じ意味の情報である。料金１３３は、課金した金額を示す情報である。
図１８に示す例では、例えば、「ユーザ０１」に対して「作業０１（給水）」の対価として「ＸＸＸ」を課金していることを示している。
管理サーバ３は、生成した課金履歴情報１３０を課金履歴データベースとして記憶部２２に記録する。
【００５８】
次に、図１９から図２３を参照しながら、農作業依頼システム１ａの動作の詳細について説明する。
図１９は、作業依頼処理の流れを示すフローチャートである。
依頼者は、依頼者端末５の入力部３３を介して、農作業の依頼をする栽培地、作業内容、作業開始条件を指定する。依頼者が容易に指定できるように、管理サーバ３が依頼者の保有する栽培地、及びその栽培地で栽培されている農作物に対して実行すべき作業内容、作業開始条件を依頼者端末５に送信し、依頼者端末５が表示部３４に栽培地候補、作業内容候補、作業開始条件候補を表示するようにしても良い。
依頼者端末５の制御部３１は、依頼者から栽培地、作業内容、作業開始条件が指定されると、対応する栽培地ＩＤ５１、作業ＩＤ５２、依頼者ＩＤ５３、作業開始条件５４を含む作業依頼情報５０ａとして入力し（Ｓ２０１）、作業依頼情報５０ａを管理サーバ３に送信する（Ｓ２０２）。
【００５９】
管理サーバ３の制御部２１は、作業依頼情報５０ａを受信すると、土地管理情報９０を参照し、依頼者を認証する（Ｓ２０３）。管理サーバ３の制御部２１は、作業依頼情報５０ａに含まれる栽培地ＩＤ５１、依頼者ＩＤ５３の組み合わせが土地管理情報９０に存在するかどうか確認し、存在する場合には正当な権限を有する者と判定し、処理を続行する。存在しない場合には、正当な権限を有さない者からの依頼であるとして、その旨を示すメッセージを依頼者端末５に送信し、処理を終了する。
【００６０】
次に、管理サーバ３の制御部２１は、作業制限情報１１０を参照し、受信した作業依頼情報５０ａの作業が制限されているか確認する（Ｓ２０４）。管理サーバ３の制御部２１は、受信した作業依頼情報５０ａに含まれる栽培地ＩＤ５１、作業ＩＤ５２を検索キーとして作業制限情報１１０の栽培地ＩＤ１１１、制限作業１１２を検索する。一致するデータが存在する場合、現在時刻が制限期間１１３に含まれるかどうか確認し、含まれる場合には作業が実行できないと判定し、その旨を示すメッセージを依頼者端末５に送信し、処理を終了する。一致するデータが存在しない場合、または一致するデータが存在するが制限期間１１３に含まれない場合、作業が実行できると判定し、受信した作業依頼情報５０ａを記憶部２２に記録する。
【００６１】
次に、管理サーバ３の制御部２１は、作業依頼を受け付けたことを示す受付結果を依頼者端末５に送信する（Ｓ２０５）。
依頼者端末５の制御部３１は、管理サーバ３から受付結果を受信すると、表示部３４に受付結果を表示する（Ｓ２０６）。
【００６２】
図２０は、環境情報収集処理の流れを示すフローチャートである。環境情報収集処理は、管理サーバ３の定期実行タスクとして登録され、定期的に自動実行される。
管理サーバ３の制御部２１は、環境情報取得命令を環境監視端末１５に送信する（Ｓ３０１）。
環境監視端末１５の制御部４１は、センサ１７を制御して環境情報を取得し（Ｓ３０２）、環境情報を管理サーバ３に送信する（Ｓ３０３）。
管理サーバ３の制御部２１は、環境情報を受信すると、生育状況、健康状態を判定し、生育状況情報１００を更新する（Ｓ３０４）。
【００６３】
生育状況、健康状況の判定について、農作物がイチゴの場合を例にして説明する。収集する環境情報は、カメラによって取得する果実、葉の画像、近赤外線糖度計によって取得する果実の糖度などである。管理サーバ３は、果実の画像から色彩を抽出し、色彩の赤味レベル（例えばＲＧＢ表色系のＲ成分の閾値、差分閾値、Ｌａｂ表色系の３軸の閾値、差分閾値など）によって、生育状況のレベルを判定する。また、管理サーバ３は、果実の糖度によって、生育状況のレベルを判定する。また、管理サーバ３は、葉の画像から葉の枚数、面積などを算出し、生育状況のレベルを判定する。また、管理サーバ３は、葉の画像から色彩と形状を抽出し、病気かどうかを判定する。
その他、管理サーバ３は、距離センサを用いて農作物の草丈を収集し、生育状況のレベルを判定しても良い。
尚、必要に応じて、ＥＣ値、ｐｆ値、温度、湿度などの環境情報を収集し、生育状況情報１００に記録するようにしても良い。
【００６４】
図２１は、作業実行処理の流れを示すフローチャートである。作業実行処理における作業開始条件の判定は、管理サーバ３の定期実行タスクとして登録され、定期的に自動実行される。尚、作業開始条件が設定されていない作業依頼については、第１の実施の形態と同様、作業依頼情報５０ａを受信した後に、作業命令情報７０を送信する。
【００６５】
管理サーバ３の制御部２１は、記憶部２２に保存されている作業依頼情報５０ａを読み出し、作業開始条件の判定を行う（Ｓ４０１）。管理サーバ３の制御部２１は、作業依頼情報５０ａに含まれる作業開始条件５４を抽出し、作業開始の条件に適合するかどうか判定する。例えば、作業開始条件５４が生育状況に係る条件である場合、管理サーバ３の制御部２１は、生育状況情報１００を検索し、対応する農作物の生育状況１０２を確認することで、作業開始条件を判定できる。
作業開始の条件に適合する場合、管理サーバ３の制御部２１は、Ｓ４０２以降の処理を続行する。作業開始の条件に適合しない場合、管理サーバ３の制御部２１は、次の作業依頼情報５０ａを読み出して、作業開始条件の判定を繰り返す。
【００６６】
管理サーバ３の制御部２１は、作業依頼情報５０ａに応じて作業をすべき機器１１、または作業者を特定する（Ｓ４０２）。管理サーバ３の制御部２１は、受信した作業依頼情報５０ａに含まれる栽培地ＩＤ５１、作業ＩＤ５２を検索キーとして機器管理情報６０ａのデータベースを検索する。作業をすべき機器１１、または作業者は、検索されたデータの機器ＩＤ６３、または作業者ＩＤ６４によって特定される。
【００６７】
管理サーバ３の制御部２１は、機器１１、または作業者を特定すると、作業命令情報７０を生成し、作業端末７、または作業者端末１３に送信する（Ｓ４０３）。管理サーバ３の制御部２１は、作業命令ＩＤ７１を採番し、受信した作業依頼情報５０ａに含まれる栽培地ＩＤ５１を栽培地ＩＤ７２、作業ＩＤ５２を作業ＩＤ７３として、作業命令情報７０を生成する。作業命令情報７０の送信先は、Ｓ４０２にて特定した機器１１に対応する作業端末７、またはＳ４０２にて特定した作業者に対応する作業者端末１３である。
【００６８】
作業端末７の制御部４１は、作業命令情報７０を受信すると、作業命令情報７０に含まれる栽培地ＩＤ７２、作業ＩＤ７３に基づいて、作業をすべき機器１１を制御して作業を実行する（Ｓ４０４）。または、作業者端末１３の制御部３１は、作業命令情報７０を受信すると、例えば作業命令情報７０の情報を表示部３４に表示して作業者に通知し、作業内容を確認した作業者が作業を実行する（Ｓ４０４）。
次に、作業端末７の制御部４１は、作業の終了時に、実行した作業命令に対応する作業命令ＩＤ８１、作業が終了したことを示す作業終了時刻８２を含む作業履歴情報８０ａを管理サーバ３に送信する（Ｓ４０５）。または、作業者端末１３の制御部３１は、作業の終了時に、実行した作業命令に対応する作業命令ＩＤ８１、作業が終了したことを示す作業終了時刻８２、作業を実行した機器１１、または作業者を識別する作業実行者８３を含む作業履歴情報８０ａを管理サーバ３に送信する（Ｓ４０５）。尚、作業履歴情報８０ａは、作業が開始したことを示す作業開始時刻を含めて、作業の開始時に送信しても良いし、作業の開始および終了時に送信しても良い。
【００６９】
管理サーバ３の制御部２１は、作業履歴情報８０ａを受信すると、作業履歴情報８０ａと課金履歴情報１３０を記憶部２２に記録する（Ｓ４０６）。管理サーバ３の制御部２１は、作業履歴情報８０ａの送信元に応じて作業履歴情報８０ａの作業実行者８３を登録する。また、管理サーバ３の制御部２１は、作業価格情報１２０を参照し、作業履歴情報８０ａの作業内容に応じて課金履歴情報１３０の料金１３３を登録する。
【００７０】
管理サーバ３の制御部２１は、環境監視端末１５に環境情報取得命令を送信する（Ｓ４０７）。例えば、作業内容が「給水」の場合、管理サーバ３の制御部２１は、湿度計とｐｆ値計を制御する環境監視端末１５にのみ環境情報取得命令を送信するようにしても良い。
環境監視端末１５の制御部４１は、環境情報取得命令を受信すると、センサ１７を制御して環境情報を取得し（Ｓ４０８）、管理サーバ３に環境情報を送信する（Ｓ４０９）。
【００７１】
管理サーバ３の制御部２１は、環境情報を受信すると、作業結果情報を作成して依頼者端末５に送信する（Ｓ４１０）。作業結果情報は、作業履歴情報８０ａと環境情報を合わせた情報であり、作業内容、作業の開始または完了の時刻、作業前後の環境情報が含まれる。異常が発生した場合には、異常が発生した旨と発生した理由を作業結果情報として依頼者端末５に送信する。
依頼者端末５の制御部３１は、作業結果情報を受信すると、表示部３４に作業結果を表示する（Ｓ４１１）。
【００７２】
図２２は、依頼者による作業履歴情報登録処理の流れを示すフローチャートである。依頼者による作業履歴情報登録処理は、依頼者が自ら作業を行った場合に実行される。
【００７３】
依頼者端末５の制御部３１は、依頼者から栽培地、作業内容が指定されると、対応する栽培地ＩＤ、作業ＩＤを含む作業履歴情報８０ａとして入力し（Ｓ５０１）、作業履歴情報８０ａを管理サーバ３に送信する（Ｓ５０２）。
管理サーバ３の制御部２１は、作業履歴情報８０ａを受信すると、作業履歴情報８０ａを登録する（Ｓ５０３）。管理サーバ３の制御部２１は、作業命令ＩＤ８１を採番し、作業履歴情報８０ａの送信元に応じて作業履歴情報８０ａの作業実行者８３を登録する。
【００７４】
図２３は、作業提案処理の流れを示すフローチャートである。作業提案処理は、管理サーバ３の定期実行タスクとして登録され、定期的に自動実行される。
【００７５】
管理サーバ３の制御部２１は、生育状況情報１００を参照し、農作物の生育状況を確認する（Ｓ６０１）。次に、管理サーバ３の制御部２１は、生育状況に応じて提案する作業内容を決定し、作業提案情報を作成して送信する（Ｓ６０２）。提案する作業内容の決定ルールは、農作物の生育状況、環境情報を基に予め定めておく。決定ルールは、例えば、生育状況情報１００の生育状況１０２が「レベル４」になると、「草刈り」の作業を提案するというものである。また、例えば、環境情報のＥＣ値が一定値以下になると、「施肥」の作業を提案するというものである。
依頼者端末５の制御部３１は、作業提案情報を受信すると、表示部３４に作業提案情報を表示する（Ｓ６０３）。依頼者は、表示された作業内容を依頼する場合には、図１９に示す作業依頼処理を実行して作業を依頼することができる。
【００７６】
以上説明したとおり、第２の実施の形態における管理サーバ３は、生育状況、気象条件、土壌状態、契約条件等に照らして、依頼された作業を実行して良いかどうかの判定をすることができる。また、管理サーバ３は、依頼者に対して作業完了後の詳細な環境変化を通知することができる。また、管理サーバ３は、依頼された作業の課金管理を行うことができる。また、管理サーバ３は、生育状況、気象条件、土壌状態等に照らして、依頼者に対して作業の提案をすることができる。
【００７７】
第２の実施の形態における管理サーバ３は、作業端末７、依頼者端末５、作業者端末１３の三者から作業履歴情報８０ａを受信するので、収穫までに行った全ての作業履歴を記録することができる。また、管理サーバ３は、農作業の生育状況の履歴を生育状況情報１００に記録することができる。そこで、管理サーバ３の作業履歴情報８０ａ、生育状況情報１００を貸し菜園の管理者に閲覧可能とし、これらの作業履歴と生育状況の履歴を基に栽培地の格付を行っても良い。栽培地の格付は貸し菜園の借主に公開し、格付ごとに料金を変更するようにしても良い。
【００７８】
また、貸し菜園のセキュリティを向上するため、栽培地への入場を監視する入場監視端末を設けても良い。入場監視端末は、栽培地に入場する人物が正当な入場権限を有するか否かを判定し、正当な入場権限を有さない場合には警告を行うとともに、管理者に通知する。正当な入場権限を有する者とは、栽培地の借主、または依頼された農作業を代行する作業者である。入場監視端末は、例えば、ＩＣカードを利用した入場ゲートである。また、入場監視端末として監視カメラを併用しても良い。
【００７９】
以上、添付図面を参照しながら本発明に係る農作業依頼システム等の好適な実施形態について説明したが、本発明は前述した実施形態に限定されるものではない。当業者であれば、本願で開示した技術的思想の範疇内において、各種の変更例または修正例に想到し得ることは明らかであり、それらについても当然に本発明の技術的範囲に属するものと了解される。
【符号の説明】
【００８０】
１、１ａ………農作業依頼システム
３………管理サーバ
５………依頼者端末
７………作業端末
９………ネットワーク
１１………機器
１３………作業者端末
１５………環境監視端末
１７………センサ
【図１】
2010268760.tif 000003
【図２】
2010268760.tif 000004
【図３】
2010268760.tif 000005
【図４】
2010268760.tif 000006
【図５】
2010268760.tif 000007
【図６】
2010268760.tif 000008
【図７】
2010268760.tif 000009
【図８】
2010268760.tif 000010
【図９】
2010268760.tif 000011
【図１０】
2010268760.tif 000012
【図１１】
2010268760.tif 000013
【図１２】
2010268760.tif 000014
【図１３】
2010268760.tif 000015
【図１４】
2010268760.tif 000016
【図１５】
2010268760.tif 000017
【図１６】
2010268760.tif 000018
【図１７】
2010268760.tif 000019
【図１８】
2010268760.tif 000020
【図１９】
2010268760.tif 000021
【図２０】
2010268760.tif 000022
【図２１】
2010268760.tif 000023
【図２２】
2010268760.tif 000024
【図２３】
2010268760.tif 000025